(57)【要約】  【課題】  外部装置との接続が可能という汎用性を持たせつつ、一つの記録メディアから他の記録メディアへと電子情報の転送の手間がかからない情報処理装置を提供する。  【解決手段】  外付けＭＯドライブ装置が、パソコンなどの外部機器と接続されている場合には、それとの電子情報の送受信を可能としつつも、パソコンが接続されていない状態で、コピーボタン１３が操作されれば、ＰＣカード用スロット部１１に装着されたメモリカードから画像ファイルを読み出して、ＭＯディスク用スロット部１２に装着されたＭＯディスクに書き込むことができるので、ファイルのバックアップの手間がかからない。【選択図】    図２
2004192617.tif 000002
【特許請求の範囲】
【請求項１】
第１記録メディアを挿脱可能であると共に、装着した当該第１記録メディアから、少なくとも電子情報の読み出しが可能な第１着脱部と、
第２記録メディアを挿脱可能であると共に、装着した当該第２記録メディアに対して電子情報の読み出し及び書き込みが可能な第２着脱部と、
制御手段と、
前記第１記録メディアに記録された電子情報を読み出して、前記第２記録メディアに書き込む動作を開始させる操作部材と、を有し、
前記第１着脱部と、前記第２着脱部とは、電子情報を送受信可能に接続されており、
前記制御手段は、前記操作部材の操作に応じて、前記第１着脱部に装着された前記第１記録メディアに記録された電子情報を検索し、発見したファイルのうち、予め定められた順位のファイルの日付データをバッファし、次いで前記第２着脱部に装着された前記第２記録メディアに、新たなディレクトリを作成するとともに、バッファしておいた前記日付データを当該ディレクトリの作成日付として書き込み、作成したディレクトリに、前記第１記録メディアに記録された電子情報を全て書き込むことを特徴とする情報処理装置。
【請求項２】
前記情報処理装置は外部機器と接続可能となっている接続部を有し、前記第１着脱部と、前記第２着脱部と、前記接続部とは、いずれか１つより別な１つへと電子情報を送受信可能に接続されており、
前記制御手段は、前記接続部を介して前記外部機器が接続されていることを検知した場合には、前記第１着脱部に装着された前記第１記録メディア及び／又は前記第２着脱部に装着された前記第２記録メディアと、前記外部機器との間における前記接続部を介した電子情報の送受信を許可し、前記接続部を介して前記外部機器が接続されていることを検知しなかった場合には、前記接続部を介した電子情報の送受信を禁止することを特徴とする請求項１に記載の情報処理装置。
【請求項３】
前記制御手段は、前記接続部を介して前記外部機器が接続されていることを検知した場合には、前記操作部材の操作があっても、前記第１着脱部に装着された前記第１記録メディアから電子情報を読み出して、前記第２着脱部に装着された前記第２記録メディアに直接書き込むことを禁止することを特徴とする請求項２に記載の情報処理装置。
【請求項４】
第１記録メディアを挿脱可能であると共に、装着した当該第１記録メディアから、少なくとも電子情報の読み出しが可能な第１着脱部と、
第２記録メディアを挿脱可能であると共に、装着した当該第２記録メディアに対して電子情報の読み出し及び書き込みが可能な第２着脱部と、
外部機器と接続可能となっている接続部と、
制御手段と、
前記第１記録メディアに記録された電子情報を読み出して、前記第２記録メディアに書き込む動作を開始させる操作部材と、を有し、
前記第１着脱部と、前記第２着脱部と、前記接続部とは、いずれか１つより別な１つへと電子情報を送受信可能に接続されており、
前記制御手段は、前記接続部を介して前記外部機器が接続されていることを検知している状態において、前記操作部材の操作に応じて、前記外部機器が前記第１着脱部に装着された前記第１記録メディアから電子情報を読み出し前記接続部を介して前記外部機器に転送すること、かつ前記接続部を介して前記外部機器より転送された電子情報を、前記第２着脱部に装着された前記第２記録メディアに書き込ませることを許可し、前記外部機器は、前記第１着脱部に装着された前記第１記録メディアに記録された電子情報を検索し、発見したファイルのうち、予め定められた順位のファイルの日付データをバッファし、次いで前記第２着脱部に装着された前記第２記録メディアに、新たなディレクトリを作成するとともに、バッファしておいた前記日付データを当該ディレクトリの作成日付として書き込み、作成したディレクトリに、前記第１記録メディアに記録された電子情報を全て書き込むことを特徴とする情報処理装置。
【請求項５】
前記新たなディレクトリの名称は、バッファしておいた前記日付データをもとにして作成されることを特徴とする請求項１乃至４に記載の情報処理装置。
【請求項６】
予め定められた順位で検索されたファイルとは、最初に検索したファイルであることを特徴とする請求項１乃至５のいずれかに記載の情報処理装置。
【請求項７】
前記検索は、特定の拡張子の付されたファイルについてのみ行われることを特徴とする請求項６に記載の情報処理装置。
【請求項８】
前記制御手段は、前記記録されたファイルの作成日付及び／又は作成時刻を含む名称を有するディレクトリを、前記第２記録メディア内に作成した後、そこへ前記第１記録メディアに記録された電子情報を転送することを特徴とする請求項１乃至７のいずれかに記載の情報処理装置。
【請求項９】
前記制御手段は、前記第２記録メディア内において、作成されるディレクトリに付与する名称を、ディレクトリの作成順序を示すものにすることを特徴とする請求項1乃至８記載の情報処理装置。
【請求項１０】
前記制御手段は、前記第２記録メディアに対して電子情報の書き込みが行われている間に、操作部材が操作されたことを検知しても、操作に基づいて制御が行われることを禁止することを特徴とする請求項1乃至９記載の情報処理装置。
【請求項１１】
前記制御手段は、前記第２記録メディアに対して電子情報の書き込みが行われている間に、前記接続部を介して前記外部機器が接続されていることを検知しても、前記第２記録メディアに対する電子情報の書き込みが終了するまで、前記外部機器との電子情報の送受信を禁止することを特徴とする請求項２乃至３、５乃至1０記載の情報処理装置。
【発明の詳細な説明】
【技術分野】
【０００１】
本発明は、情報処理装置に関し、特に複数の記録メディアを挿脱可能となっており、装着された一つの記録メディアから他の記録メディアに電子情報を転送可能な情報処理装置に関する。
【背景技術】
【０００２】
デジタルスチルカメラ等の電子カメラで撮影した画像を、そのカメラに装着された記録メディア（メモリカード等）に、画像ファイル等の電子情報として記録することが行われている。記録された電子情報は、パソコンなどに転送されて利用されるため、多くの電子カメラでは転送時のデータの取り扱いが容易なように、記録メディア上にパソコンと同様のファイルシステムを形成し、一般的には個々の撮影画像をそれぞれ１つの画像ファイルとして記録している（特許文献１参照）。
【特許文献１】特開平１１−１６４２３４号公報
【発明の開示】
【発明が解決しようとする課題】
【０００３】
ところで、メモリカード等は携帯性を重視するため、例えば切手サイズのものが多く、一般的には記憶容量が小さい。従って、電子カメラで撮影を続ける内に、メモリカードの記憶残量が減ってゆき、やがては撮影が不可能となる。しかるに、メモリカードに記憶した画像ファイルを他の記録媒体に記録（コピー）すれば、メモリカード内の画像ファイルを消去でき、それにより新たな撮影が可能となる。このような他の記録媒体への記録の一般的態様として、例えば電子カメラからＵＳＢ（Universal Serial Bus）等を介してパソコン等に画像ファイルを読み出し、更にハードディスク又はＣＤ−Ｒ等のより大容量の他の記憶メディアに書き込むことなどが行われている。これをファイルのバックアップという。
【０００４】
しかしながら、メモリカード内のファイルのバックアップを行うためには、ユーザー自らパソコンを操作して画像ファイルをコピーする必要がある。従って、ファイルのバックアップに手間がかかるという問題がある。これに対し、メモリカード内の画像ファイルを読み出して、他の記録メディアに書き込む専用の装置を作ることも考えられるが、専用の装置であると操作の手間が省けるものの、汎用性が低下するため、製品としての価値が低いという問題がある。
【０００５】
本発明は、かかる従来技術の問題点に鑑みてなされたものであり、外部装置との接続が可能という汎用性を持たせつつ、一つの記録メディアから他の記録メディアへと電子情報の転送の手間がかからない情報処理装置を提供することを目的とする。
【課題を解決するための手段】
【０００６】
請求項１に記載の情報処理装置は、第１記録メディアを挿脱可能であると共に、装着した当該第１記録メディアから、少なくとも電子情報の読み出しが可能な第１着脱部と、第２記録メディアを挿脱可能であると共に、装着した当該第２記録メディアに対して電子情報の読み出し及び書き込みが可能な第２着脱部と、制御手段と、前記第１記録メディアに記録された電子情報を読み出して、前記第２記録メディアに書き込む動作を開始させる操作部材と、を有し、前記第１着脱部と、前記第２着脱部とは、電子情報を送受信可能に接続されており、前記制御手段は、前記操作部材の操作に応じて、前記第１着脱部に装着された前記第１記録メディアに記録された電子情報を検索し、発見したファイルのうち、予め定められた順位のファイルの日付データをバッファし、次いで前記第２着脱部に装着された前記第２記録メディアに、新たなディレクトリを作成するとともに、バッファしておいた前記日付データを当該ディレクトリの作成日付として書き込み、作成したディレクトリに、前記第１記録メディアに記録された電子情報を全て書き込むので、例えばパソコンなどの前記外部機器と接続されている場合には、それとの電子情報の送受信を可能としつつも、前記外部機器が接続されていない状態で、前記操作部材が操作されれば、前記第１着脱部に装着された前記第１記録メディアから電子情報を読み出して、前記第２着脱部に装着された前記第２記録メディアに書き込むことができるので、ファイルのバックアップの手間がかからないという利点がある。更に、バッファしておいた前記日付データを当該ディレクトリの作成日付として利用しているので、それに基づきバックアップデータの検索を効率的に行える。
【０００７】
請求項２に記載の情報処理装置は、前記情報処理装置は外部機器と接続可能となっている接続部を有し、前記第１着脱部と、前記第２着脱部と、前記接続部とは、いずれか１つより別な１つへと電子情報を送受信可能に接続されており、前記制御手段は、前記接続部を介して前記外部機器が接続されていることを検知した場合には、前記第１着脱部に装着された前記第１記録メディア及び／又は前記第２着脱部に装着された前記第２記録メディアと、前記外部機器との間における前記接続部を介した電子情報の送受信を許可し、前記接続部を介して前記外部機器が接続されていることを検知しなかった場合には、前記接続部を介した電子情報の送受信を禁止するので、例えばパソコンなどの外部機器を接続したような場合には、かかる情報処理装置を外部ストレージ機器として利用できるので製品の価値が高まる。
【０００８】
請求項３に記載の情報処理装置は、前記制御手段が、前記接続部を介して前記外部機器が接続されていることを検出した場合には、前記操作部材の操作があっても、前記第１着脱部に装着された前記第１記録メディアから電子情報を読み出して、前記第２着脱部に装着された前記第２記録メディアに直接書き込むことを禁止するので、前記外部機器の転送制御と、前記制御手段の転送制御とが競合することがなく、無用なトラブルを回避できる。
【０００９】
請求項４に記載の情報処理装置は、第１記録メディアを挿脱可能であると共に、装着した当該第１記録メディアから、少なくとも電子情報の読み出しが可能な第１着脱部と、第２記録メディアを挿脱可能であると共に、装着した当該第２記録メディアに対して電子情報の読み出し及び書き込みが可能な第２着脱部と、外部機器と接続可能となっている接続部と、制御手段と、前記第１記録メディアに記録された電子情報を読み出して、前記第２記録メディアに書き込む動作を開始させる操作部材と、を有し、前記第１着脱部と、前記第２着脱部と、前記接続部とは、いずれか１つより別な１つへと電子情報を送受信可能に接続されており、前記制御手段は、前記接続部を介して前記外部機器が接続されていることを検知している状態において、前記操作部材の操作に応じて、前記外部機器が前記第１着脱部に装着された前記第１記録メディアから電子情報を読み出し前記接続部を介して前記外部機器に転送すること、かつ前記接続部を介して前記外部機器より転送された電子情報を、前記第２着脱部に装着された前記第２記録メディアに書き込ませることを許可し、前記外部機器は、前記第１着脱部に装着された前記第１記録メディアに記録された電子情報を検索し、発見したファイルのうち、予め定められた順位のファイルの日付データをバッファし、次いで前記第２着脱部に装着された前記第２記録メディアに、新たなディレクトリを作成するとともに、バッファしておいた前記日付データを当該ディレクトリの作成日付として書き込み、作成したディレクトリに、前記第１記録メディアに記録された電子情報を全て書き込むので、例えばパソコンなどの前記外部機器と接続されている場合に、前記操作部材が操作されれば、前記外部機器を介して、前記第１着脱部に装着された前記第１記録メディアから電子情報を読み出して、前記第２着脱部に装着された前記第２記録メディアに書き込むことができるので、前記外部機器の転送制御と、前記制御手段の転送制御とが競合することがなく、且つファイルのバックアップの手間がかからないという利点がある。更に、バッファしておいた前記日付データを当該ディレクトリの作成日付として利用しているので、それに基づきバックアップデータの検索を効率的に行える。
【００１０】
請求項５に記載の情報処理装置において、前記新たなディレクトリの名称が、バッファしておいた前記日付データをもとにして作成されるので、記録されたファイルの作成日付及び／又は作成時刻などの日付データを、前記第２記録メディアに画像情報を記憶するためのディレクトリの名称を決定するのに用いるようにすることで、独自にディレクトリ名を決定するためにリアルタイムクロックなどを設ける必要がなくなって、簡易且つ低コストな構成が提供される。
【００１１】
請求項６に記載の情報処理装置において、予め定められた順位で検索されたファイルとは、最初に検索したファイルであると検索時間を短くすることができ好ましいが、２番目、３番目或いは最後に検索されたファイルでも良い。また、複数のファイルを検索して、それらの作成日付等を記憶しても良い。
【００１２】
請求項７に記載の情報処理装置は、前記検索が、特定の拡張子（ＪＰＥＧ等）の付されたファイルについてのみ行われると、ファイルの内容が絞られるので好ましいが、全てのファイルについて検索しても良い。又、隠しファイルは用いないなど、属性データで判断しても良い。
【００１３】
請求項８に記載の情報処理装置は、前記制御手段が、前記記録されたファイルの作成日付及び／又は作成時刻を含む名称を有するディレクトリを、前記第２記録メディア内に作成した後、そこへ前記第１記録メディアに記録された電子情報を転送すると、ディレクトリ名が重複することが抑制されるので好ましい。
【００１４】
請求項９に記載の情報処理装置は、前記制御手段が、前記第２記録メディア内において、作成されるディレクトリに付与する名称を、ディレクトリの作成順序を示すものにするので、ディレクトリ名が重複することが回避され、後の検索を行いやすい。
【００１５】
請求項１０に記載の情報処理装置は、前記制御手段が、前記第２記録メディアに対して電子情報の書き込みが行われている間に、操作部材が操作されたことを検知しても、操作に基づいて制御が行われることを禁止するので、電子情報書き込み中における割り込みに起因する誤動作を回避することができる。
【００１６】
請求項１１に記載の情報処理装置は、前記制御手段が、前記第２記録メディアに対して電子情報の書き込みが行われている間に、前記接続部を介して前記外部機器が接続されていることを検知しても、前記第２記録メディアに対する電子情報の書き込みが終了するまで、前記外部機器との電子情報の送受信を禁止するので、電子情報書き込み中における前記外部機器の割り込みに起因する誤動作を回避することができる。
【００１７】
尚、本明細書中、第１記録メディアとは、メモリカード、ＣＤ−Ｒ、ＤＶＤ−Ｒ等の光情報記録媒体、ＭＯ等の光磁気情報記録媒体であると好ましく、一方、第２記録メディアとは、ＣＤ−Ｒ、ＤＶＤ−Ｒ等の光情報記録媒体、ＭＯ等の光磁気情報記録媒体、ハードディスク等であると好ましく、第１記録メディアより容量が大きいと、又好ましい。又、前記制御手段は、第２記録メディアに、フォーマットなどを行ってファイルシステムを作成可能であると好ましい。前記情報処理装置は、画像情報の送受信状態を示す表示手段及び／又は発音手段を有すると好ましい。電子情報には、画像ファイルが含まれるが、それに限らず文書データやＣＧデータなど各種のデータを含む。第１着脱部にＵＳＢなどのポートを付けてデジタルスチルカメラや他のストレージ機器を、第１記録メディアの代わりに接続しても良い。
【００１８】
更に、検索されたファイル（第１記録メディア、例えばメモリカードに記録されているファイル）の日付データとしては、作成日付、修正日付、作成時刻、修正時刻があげられる。このうち、新たなディレクトリの作成日付・作成時刻として、元ファイルの作成日付・作成時刻を使用するが、元ファイルの修正日付・修正時刻を用いるようにしても良い。また、新たなディレクトリの名称としては、元ファイルの作成日付をもとにテキストを作成するが、これも元ファイルの修正日付をもとにするようにしてもよい。更に、作成日付及び／又は作成時刻の代わりに、更新日付及び／又は更新時刻を用いても良い。ディレクトリ名の元となるファイルと、ディレクトリ作成時の元となるファイルが異なっていても良い。
【発明の効果】
【００１９】
本発明によれば、外部装置との接続が可能という汎用性を持たせつつ、一つの記録メディアから他の記録メディアへと電子情報の転送の手間がかからない情報処理装置を提供することができる。
【発明を実施するための最良の形態】
【００２０】
以下、本発明の実施の形態について、図面を参照して説明する。図１は、本実施の形態にかかる情報処理装置である外付けＭＯドライブ装置の斜視図である。
【００２１】
図１において、筐体１０の前面には、第１着脱部であるＰＣカード用スロット部１１と、第２着脱部であるＭＯディスク用スロット部１２と、表示手段であるＬＥＤ１４とが配置されている。筐体１０の背面には、接続部であるＵＳＢコネクタ１５ａが配置され、筐体１０の上面には、操作部材であるコピーボタン１３と、電源スイッチ１８とが配置されている。尚、ＰＣカード用スロット部１１の脇には、装着されたアダプタ付きのメモリカード（ＰＣカード等）を排出するためのイジェクトボタン１１ａが配置され、ＭＯディスク用スロット部１２の下には、装着されたＭＯディスクを排出するためのイジェクトボタン１２ａが配置されている。制御手段１６は、コピーボタン１３からのオン信号を受信することで、それが操作されたことを検出できるようになっている。
【００２２】
図２は、本外付けＭＯドライブ装置の機能ブロック図である。アダプタ付きのメモリカードが装着されたときにそれに対して電子情報を読み出し又は書き込み可能なＰＣカード用スロット部１１（ここではＰＣカードのコネクタ１１ｃと、カードコントロールＩＣ１１ｂを含む）と、ＭＯディスクが装着されたときにそれに対して電子情報を読み出し又は書き込み可能なＭＯディスク用スロット部１２と、ＵＳＢコネクタ１５ａを有するＵＳＢコントローラ１５と、制御手段１６は、バスＢにより相互に情報伝達可能に接続されている。制御手段１６は、ＵＳＢコントローラ１５が、パソコン等の外部機器に対してケーブルで接続されているか否かを検出すると共に、ＰＣカード用スロット部１１と、ＭＯディスク用スロット部１２との間における電子情報の送受信を制御する機能を有する。
【００２３】
図３は、制御手段１６の制御動作を示すフローチャート図である。図３において、ステップＳ１０１において、制御手段１６は、ＰＣカード用スロット部１１にアダプタ付きのメモリカードが装着され、且つＭＯディスク用スロット部１２にＭＯディスクが装着されていると判断すれば、更にステップＳ１０２で、ＵＳＢコントローラ１５を介して外部のパソコンに接続されているか否か判断する。ここで、外部のパソコンに接続されていると判断すれば、ステップＳ１１０で、制御手段１６は、外部のパソコンの制御下で、ＵＳＢコントローラ１５を介してＰＣカード用スロット部１１からメモリカードに対し、又はＭＯディスク用スロット部１２を介してＭＯディスクに対し電子情報の読み出し又は書き込みを許可する。すなわち、外付けＭＯドライブ装置は、本来の外部ストレージ装置として動作する。この場合、コピーボタン１３の操作があっても無視されて、メモリカードからＭＯディスクへの直接のファイル転送は行われない。
【００２４】
一方、外部のパソコンに接続されていないと判断すれば、ステップＳ１０３で、制御手段１６は、コピーボタン１３が押されるのを待つ。ユーザーがコピーボタン１３を押す（操作する）と、制御手段１６は、ステップＳ１０４で、メモリカード内の画像ファイル（例えば拡張子がＪＰＥＧであるもの）を検索し、最初の画像ファイルの作成日時・時刻を内蔵メモリに記憶（バッファ）する。続いて、制御手段１６は、ステップＳ１０５で、ディレクトリ名を決定する。
【００２５】
ここで、ディレクトリ名の決め方としては、例えば記憶された作成日付が２００２年１１月１８日である場合にそのままその日付を０２１１１８という名称にする方法が考えられる。また、同じ日に複数のディレクトリが作成される可能性がある場合に日付と追い番を組み合わせて、最初に作成されたディレクトリを０２１１１８．００１、次に作成されたディレクトリを０２１１１８．００２のようにする方法も考えられる。この他、日付と時刻を組み合わせて０２１１１８＿１３２５（１３時２５分）のようにする方法、アルファベットと日付を組み合わせてＩＭ０２１１８のようにする方法など種々の方法が考えられる。
【００２６】
例をあげて説明すると、メモリカード内に、図４に示すファイルシステムが作成されていたとする。制御手段１６は、図４に示すファイルシステムのルートディレクトリ内を検索し、最初の画像ファイルの作成日付（又は更新日付）「２００２／１１／１８」及び作成時刻（又は更新時刻）「９：４０」を内蔵メモリに記憶する。次に、制御手段１６は、ＭＯディスク内に作成されたファイルシステム（図５参照）を検索し、「０２１１１８」と同じ名称のディレクトリが存在しないか確認する。存在しなければ、「０２１１１８．００１」を、新たなディレクトリ名として決定する。存在すれば、作成日付以外の部分すなわち追い番「．００＊」を異ならせて区別できるように決定する。
【００２７】
尚、制御手段１６は、ルートディレクトリ内にディレクトリが見つかった場合、更に下層のディレクトリに移動して、ファイルを検索する。ファイルもディレクトリも見つからなかった場合、ルートディレクトリに戻って、最初のディレクトリの作成日付等を記憶する。作成日付が設定されていないファイルが発見された場合、かかるファイルを無視して新たなファイルを検索するか、或いは、「００／００／００」なる日付を利用しても良い。
【００２８】
更に、図３のステップＳ１０６で、制御手段１６は、名称が「０２１１１８．００１」であるディレクトリをＭＯディスクのファイルシステム内に新たに作成する。このとき、ＭＯディスク内に新たに作成するディレクトリ「０２１１１８．００１」の作成日付及び／又は作成時刻をファイルと同じものとする。制御手段１６は、ステップＳ１０７で、このディレクトリ「０２１１１８．００１」中への、メモリカード内の全てのファイル「ＤＳＣ００００１．ＪＰＧ」、「ＤＳＣ００００２．ＪＰＧ」・・・の転送を開始する。尚、転送中は、ＬＥＤ１４が点滅し、転送中であるためメモリカード又はＭＯディスクを抜き出さないように、ユーザーに警告するようになっている（ステップＳ１０８）が、この間にコピーボタン１３が操作されても、制御手段１６は、それを無視したり、ＭＯドライブ装置に対し、イジェクトボタンを無効にするようなコマンドを発行して、ファイル転送中は、メモリカードやＭＯディスクのイジェクトができないようにすることで、誤動作の防止を図っている。又、制御手段１６は、ＭＯディスクに対して電子情報の書き込みが行われている間に、ＵＳＢコントローラ１５を介して外部のパソコンが接続されていることを検知しても、ＭＯディスクに対する電子情報の書き込みが終了するまで、パソコンとの電子情報の送受信を禁止するので、パソコンからの命令に基づく誤動作を抑制できる。制御手段１６は、ステップＳ１０９で、転送が完了したと判断すれば、制御動作を終了する。
【００２９】
以上の実施の形態では、制御手段１６が、ＰＣカード用スロット部１１にアダプタ付きのメモリカードが装着され、且つＭＯディスク用スロット部１２にＭＯディスクが装着されていると判断した後に、ＵＳＢコントローラ１５を介して外部のパソコンに接続されているか否か判断しているが、このステップを逆にして、外部のパソコンに接続されていないと判断した後に、メモリカード及びＭＯディスクが装着されているか否かを判断してもよい。
【００３０】
本実施の形態によれば、ディレクトリの名称と作成日時の決定に、ファイルの作成日付等を利用するので、制御手段１６はメモリを備えていれば良く、リアルタイムクロックや液晶表示措置などが不要となり、またディレクトリ名の競合が自動的に回避されるため、簡易な構成で低コストで製造でき、部品数も少ないため故障率を低く抑えることができる。又、コピーボタン１３の操作のみでファイルのバックアップが可能であるため、よりユーザーフレンドリーなものとなっている。更に、ディレクトリ名は、最初のファイルの作成日時等を用いて決定されているので、後からファイルを探す場合、そのディレクトリ名が重要な手がかりとなるので便利である。尚、別な実施の形態として、操作部材の操作として、コピーボタン１３の操作の代わりに、アダプタ付きのメモリカード及びＭＯディスクの装着を検出して、一方から他方への電子情報の転送を行う構成も考えられる。
【００３１】
更に別な実施の形態にかかる外付けＭＯドライブ装置が、ＵＳＢコントローラ１５を介して外部のパソコンに接続されている場合において、コピーボタン１３の操作に応じて、外部のパソコンにトリガー信号を送信し、パソコンがＰＣメモリカード内の画像ファイル（例えば拡張子がＪＰＥＧであるもの）を検索し、最初の画像ファイルの作成日時・時刻を内蔵メモリに記憶し、上述したようにディレクトリ名を決定し、そのディレクトリをＭＯディスクのファイルシステム内に作成し、その中に画像ファイルを転送するようにしても良い。この場合、制御手段１６は、コピーボタン１３の操作に応じて、外部のパソコンの制御を許可する機能を有する。
【００３２】
更に、別な実施の形態として、ディレクトリ名の決定において、ファイルの作成日時を用いることなく、例えばＭＯディスクのファイルシステムを検索し、少なくとも数字を含むディレクトリ名が検索された場合、最大の数字に１を加えた（あるいは最小の数字から１をひいた）数字を含むディレクトリ名を決定するようにしてもよい。この場合、数字に任意のアルファベットが付加されていても良い。それにより、例えば「Ｂ０００１」、「Ｂ０００２」、「Ｂ０００３」、・・・というように、作成した順序を示すように、番号が連続的に増加（或いは減少）する異なる名称のディレクトリが作成されるので、ディレクトリ名の競合が回避されると共に、例えばバックアップした順序にディレクトリが並ぶので、ファイルを探すのに便利である。ディレクトリの作成日時は、検索されたファイルと同じであるため、撮影された画像の検索を、ディレクトリの作成日付を利用して迅速に行える。
【００３３】
図６は、別な実施の形態にかかる外付けＭＯドライブ装置の機能ブロック図である。図２の構成と異なるのは、カードコントロールＩＣ１１ｂとコネクタ１１ｃの代わりに、ＵＳＢホストコントローラ１１ｂ’とＵＳＢコネクタ１１ｃ’とを有している点である。本実施の形態によれば、ＵＳＢコネクタ１１ｃ’を介して外部のストレージ機器に接続すれば、コピーボタン１３の操作のみで、ＭＯディスクから外部のストレージ機器へ、或いはその逆方向に、上述の実施の形態と同様に電子情報の読み出しと書き込みとを行うことができる。
【００３４】
以上、本発明を実施の形態を参照して説明してきたが、本発明は上記実施の形態に限定して解釈されるべきではなく、適宜変更・改良が可能であることはもちろんである。例えば、メモリカードはアダプタを介してでなく、直接外付けＭＯドライブ装置に装着できるようにしても良い。又、ＬＥＤ１４の代わりに、或いはそれに加えて、ファイル転送中であることを示す音を発生する発音手段を設けても良い。
【図面の簡単な説明】
【００３５】
【図１】本実施の形態にかかる情報処理装置である外付けＭＯドライブ装置の斜視図である。
【図２】本外付けＭＯドライブ装置の機能ブロック図である。
【図３】制御手段１６の制御動作を示すフローチャート図である。
【図４】メモリカード内に作成されたファイルシステムの例である。
【図５】ＭＯディスク内に作成されたファイルシステムの例である。
【図６】別な外付けＭＯドライブ装置の機能ブロック図である。
【符号の説明】
【００３６】
１０  筐体
１１  ＰＣカード用スロット部
１２  ＭＯディスク用スロット部
１３  コピーボタン１３
１４  ＬＥＤ１４
１５  ＵＳＢコントローラ
１６  制御手段
【図１】
2004192617.tif 000003
【図２】
2004192617.tif 000004
【図３】
2004192617.tif 000005
【図４】
2004192617.tif 000006
【図５】
2004192617.tif 000007
【図６】
2004192617.tif 000008